(57)【要約】【課題】  かん足に対するエンドピースの着脱操作性を向上でき、かつ、保管場所に出し入れする際の取扱い性を向上できる腕時計を提供する。【解決手段】  バンド11のエンドピース12裏面に凹部13を形成する。隣り合った胴3のかん足6間のかん股5にピース12が受入れられた状態で、足6の取付け穴7に対向する通孔14を、ピース12の側壁12bに夫々設ける。挟持部位17aを有してこれらの間が増減する方向に弾性変形可能な折り返し部17、及び両部位17aから折り曲げられて孔14に回転可能に挿入される取付け軸部18を備えた取付け部材16を、第１の位置と第２の位置とに渡り移動可能に凹部13に収容する。第１の位置に部材16が配置されたとき部位17aで挟持される固定軸15を、両通孔を結ぶ直線上からずらして凹部に設ける。第１の位置で軸15により部位17a間を広げて軸部18をピース12外に突出させ、折り返し部を軸15から外して第２の位置に部材16が配置されたとき軸部18をピース12に没入させるようにしている。【選択図】  図１
2007212352.tif 000002
【特許請求の範囲】
【請求項１】
取付け穴を有したかん足が突設されるとともに隣り合ったかん足間にかん股が形成された胴に、バンドが着脱可能に連結された腕時計において、
前記かん股に出し入れ可能に受入れられる前記バンドのエンドピースの裏面に凹部を形成し、
前記かん股に前記エンドピースが受入れられた状態で前記取付け穴に対向する通孔を、前記凹部の両側に位置する前記エンドピースの側壁に夫々設け、
相対向する挟持部位を有してこれら挟持部位間が広がる方向と狭まる方向とに弾性変形可能な折り返し部、及び互いに遠ざかる方向に前記両挟持部位から折り曲げられて前記通孔に回転可能に挿入される取付け軸部を備えた取付け部材を、その回転により第１の位置と第２の位置とにわたり移動可能に前記凹部に収容し、
前記折り返し部が着脱される固定軸を、前記凹部に前記両通孔を結ぶ直線上からずらして設け、
前記第１の位置に前記取付け部材が配置されたとき前記折り返し部の前記挟持部位で挟持される前記固定軸によりこれら挟持部位間を広げて前記取付け軸部の先端部がエンドピース外に突出されるとともに、前記固定軸から前記折り返し部を外して前記第２の位置に前記取付け部材が配置されたとき前記取付け軸部の先端部がエンドピースに没入されるようにした腕時計。
【請求項２】
前記固定軸の先端側部位を、前記挟持部位で挟まれる前記固定軸の根元側部位より太くした請求項１に記載の腕時計。
【請求項３】
自由状態での前記折り返し部の形状をＵ字状又はＶ字状とした請求項１又は２に記載の腕時計。
【請求項４】
かん股を形成するとともに取付け穴を有したかん足が胴に設けられた腕時計に備えられ、前記かん股に出し入れ可能に受入れられて前記胴に着脱可能に連結されるエンドピースを有した時計用バンドにおいて、
前記エンドピースの裏面に凹部を形成し、
この凹部の両側に位置する前記エンドピースの側壁に通孔を夫々設け、
相対向する挟持部位を有してこれら挟持部位間が広がる方向と狭まる方向とに弾性変形可能な折り返し部、及び互いに遠ざかる方向に前記両挟持部位から折り曲げられて前記通孔に回転可能に挿入される取付け軸部を備えた取付け部材を、その回転により第１の位置と第２の位置とにわたり移動可能に前記凹部に収容し、
前記折り返し部が着脱される固定軸を、前記凹部に前記両通孔を結ぶ直線上からずらして設け、
前記第１の位置に前記取付け部材が配置されたとき前記折り返し部の前記挟持部位で挟持される前記固定軸によりこれら挟持部位間を広げて前記取付け軸部の先端部がエンドピース外に突出されるとともに、前記固定軸から前記折り返し部を外して前記第２の位置に前記取付け部材が配置されたとき前記取付け軸部の先端部がエンドピースに没入されるようにした時計用バンド。
【請求項５】
前記固定軸の先端側部位を、前記挟持部位で挟まれる前記固定軸の根元側部位より太くした請求項４に記載の時計用バンド。
【請求項６】
自由状態での前記折り返し部の形状をＵ字状又はＶ字状としたとした請求項４又は５に記載の時計用バンド。
【発明の詳細な説明】
【技術分野】
【０００１】
本発明は、腕時計およびその胴に着脱可能に連結された時計用バンドに関する。
【背景技術】
【０００２】
従来、特殊な工具を用いることなく胴に対してバンドを着脱できる腕時計が知られている（例えば、特許文献１参照。）。
【０００３】
この特許文献１の腕時計では、胴のかん股に受入られるバンドの金属製エンドピースに、このピースの幅方向に離間する二つのカール部を設け、これらカール部の内の一方に傾斜面及びこの傾斜面の狭幅端にテーパ面を設けるとともに、二つのカール部に出入操作用のハンドルを有するばね棒を回転可能に保持させている。このばね棒の一端部は傾斜面を有さないカール部から常に突出されている。
【０００４】
ばね棒の他端部は、ハンドルの回転により傾斜面を有したカール部に対して突没されるようになっている。つまり、ハンドルをエンドピースに対して起きるように回転させた場合に、ハンドルがテーパ面に係合して収縮状態に保持されて、ばね棒の他端部が傾斜面を有したカール部内に没入される。又、ハンドルを回転させてエンドピースの裏面に沿うように倒した場合に、ハンドルが傾斜面に係合して広がった状態に保持されて、ばね棒の他端部が傾斜面を有したカール部から突出される。
【０００５】
そのため、常時突出しているばね棒の一端部を、かん股を形成して胴から突出された一方のかん足の取付け穴に差し込みながらエンドピースをかん股に収め、この状態で、起きているハンドルを倒すことにより、ばね棒の他端部を前記かん足に対向する他方のかん足の取付け穴に差し込むことで、バンドを胴に取付けることができる。この取付け状態でも、ハンドルは弾性変形した状態にあり、それにより胴への取付け状態が保持されている。また、以上の取付け手順とは逆に、胴にバンドが取付けられた状態で倒れているハンドルを起こすことにより、前記他方のかん足からばね棒の他端部を外した後、かん股に対してエンドピースを斜めに引き出すことでばね棒の一端部を前記一方のかん足から外すことにより、胴からバンドを外すことができる。
【特許文献１】登録実用新案第3042321号公報（図１−図２）
【発明の開示】
【発明が解決しようとする課題】
【０００６】
既述のように特許文献１の技術では、バンドの取付け時に、ばね棒の一端部を一方のかん足の取付け穴に差し込んだ後に、ばね棒の他端部を他方のかん足の取付け穴に差し込む手間を要し、この逆の手間をバンドの取外し時にも要するので、バンドの着脱が面倒である。更に、胴から外されたバンドの保管状態では、ばね棒の両端部がいずれも突出した状態となるから、これら両端部が、バンドを保管場所に出し入れする際に他の物に引っ掛かる恐れがある。
【０００７】
本発明の目的は、かん足に対するエンドピースの着脱操作性を向上でき、かつ、保管場所に出し入れする際の取扱い性を向上できる腕時計、及び時計用バンドを提供することにある。
【課題を解決するための手段】
【０００８】
前記課題を解決するために本発明に係る腕時計は、取付け穴を有したかん足が突設されるとともに隣り合ったかん足間にかん股が形成された胴に、バンドが着脱可能に連結された腕時計において、前記かん股に出し入れ可能に受入れられる前記バンドのエンドピースの裏面に凹部を形成し、前記かん股に前記エンドピースが受入れられた状態で前記取付け穴に対向する通孔を、前記凹部の両側に位置する前記エンドピースの側壁に夫々設け、相対向する挟持部位を有してこれら挟持部位間が広がる方向と狭まる方向とに弾性変形可能な折り返し部、及び互いに遠ざかる方向に前記両挟持部位から折り曲げられて前記通孔に回転可能に挿入される取付け軸部を備えた取付け部材を、その回転により第１の位置と第２の位置とにわたり移動可能に前記凹部に収容し、前記折り返し部が着脱される固定軸を、前記凹部に前記両通孔を結ぶ直線上からずらして設け、前記第１の位置に前記取付け部材が配置されたとき前記折り返し部の前記挟持部位で挟持される前記固定軸によりこれら挟持部位間を広げて前記取付け軸部の先端部がエンドピース外に突出されるとともに、前記固定軸から前記折り返し部を外して前記第２の位置に前記取付け部材が配置されたとき前記取付け軸部の先端部がエンドピースに没入されるようにしている。
【０００９】
本発明の腕時計で、バンドのエンドピース以外のバンド部分は、複数の金属製のバンド駒を回転可能に連結してなるものでも、天然皮革又は人工皮革或いは合成樹脂等の材料製のベルトからなるものであっても差し支えない。本発明で、取付け部材には、丸棒からなるばね材を好適に使用でき、その折り返し部の形状は、例えばＵ字状でも、Ｖ字状でも良く、更には、取付け軸部とともにΩ（オーム）状をなす形状であってもよい。
【００１０】
本発明の腕時計では、取付け部材が第２の位置に配置された状態のエンドピースを、胴の隣接するかん足間のかん股に入れてから、取付け部材を手で回転させて第１の位置に移動させることにより、この取付け部材の折り返し部を固定軸に嵌合できる。それにより、折り返し部が弾性変形して、その挟持部位が互いに離れるように同時に押されるに伴い、左右一対の取付け軸部が通孔を通ってエンドピースの両側に突出される。そして、これらの突出端部が通孔に至近距離で対向している左右一対のかん足の取付け穴に差し込まれて、胴にバンドが取付けられる。この取付け状態は、折り返し部の挟持部位が固定軸を弾性的に挟んでいることにより保持される。
【００１１】
この逆に、胴にバンドが取付けられている状態で、第１の位置に配置されている取付け部材を手で回転させて第２の位置に移動させることにより、折り返し部が固定軸から外されると同時に挟持部位が互いに近づけられるに伴い、左右一対の取付け軸部がエンドピース内に没するように移動される。そのため、左右一対のかん足の取付け穴から取付け軸部が抜き出されて、胴からバンドを外すことができる。そして、バンドが胴から外された状態で、バンドの取付け部材は弾性変形をしていない自由状態、つまり、無負荷状態にあって、その取付け軸部をエンドピース外に突出しないように保持できる。
【００１２】
本発明の腕時計の好ましい形態では、前記固定軸の先端側部位を、前記挟持部位で挟まれる前記固定軸の根元側部位より太くしたので、固定軸の先端側部位で、第１の位置に配置された取付け部材の折り返し部が固定軸から不用意に外れることを抑制できる点で好ましい。
【００１３】
本発明の腕時計の好ましい形態では、自由状態での前記折り返し部の形状をＵ字状又はＶ字状としたので、その曲げ形状が単純で、取付け部材の曲げ加工が容易である点で好ましい。
【００１４】
前記課題を解決するために本発明に係る時計用バンドは、かん股を形成するとともに取付け穴を有したかん足が胴に設けられた腕時計に備えられ、前記かん股に出し入れ可能に受入れられて前記胴に着脱可能に連結されるエンドピースを有した時計用バンドにおいて、前記エンドピースの裏面に凹部を形成し、この凹部の両側に位置する前記エンドピースの側壁に通孔を夫々設け、相対向する挟持部位を有してこれら挟持部位間が広がる方向と狭まる方向とに弾性変形可能な折り返し部、及び互いに遠ざかる方向に前記両挟持部位から折り曲げられて前記通孔に回転可能に挿入される取付け軸部を備えた取付け部材を、その回転により第１の位置と第２の位置とにわたり移動可能に前記凹部に収容し、前記折り返し部が着脱される固定軸を、前記凹部に前記両通孔を結ぶ直線上からずらして設け、前記第１の位置に前記取付け部材が配置されたとき前記折り返し部の前記挟持部位で挟持される前記固定軸によりこれら挟持部位間を広げて前記取付け軸部の先端部がエンドピース外に突出されるとともに、前記固定軸から前記折り返し部を外して前記第２の位置に前記取付け部材が配置されたとき前記取付け軸部の先端部がエンドピースに没入されるようにしている。
【００１５】
本発明の時計用バンドで、エンドピース以外のバンド部分は、複数の金属製のバンド駒を回転可能に連結してなるものでも、天然皮革又は人工皮革或いは合成樹脂等の材料製のベルトからなるものであっても差し支えない。本発明の時計用バンドで、取付け部材には、丸棒からなるばね材を好適に使用でき、その折り返し部の形状は、例えばＵ字状でも、Ｖ字状でも良く、更には、取付け軸部とともにΩ（オーム）状をなす形状であってもよい。
【００１６】
本発明の時計用バンドを腕時計の胴に取付けるには、取付け部材が第２の位置に配置された状態のエンドピースを、胴の隣接するかん足間のかん股に入れてから、取付け部材を手で回転させて第１の位置に移動させて、この取付け部材の折り返し部を固定軸に嵌合させればよい。それにより、折り返し部が弾性変形して、その挟持部位が互いに離れるように同時に押されるに伴い、左右一対の取付け軸部が通孔を通ってエンドピースの両側に突出されるから、これらの突出端部が通孔に至近距離で対向している左右一対のかん足の取付け穴に差し込まれて、胴にバンドが取付けられる。この取付け状態は、折り返し部の挟持部位が固定軸を弾性的に挟んでいることにより保持される。
【００１７】
この逆に、腕時計の胴に取付けられているバンドを外すには、第１の位置に配置されている取付け部材を手で回転させて第２の位置に移動させればよい。それにより、折り返し部が固定軸から外されると同時に挟持部位が互いに近づけられるに伴い、左右一対の取付け軸部がエンドピース内に没するように移動されるため、左右一対のかん足の取付け穴から取付け軸部が抜き出されて、胴からバンドを外すことができる。そして、バンドが胴から外された状態で、バンドの取付け部材は弾性性変形をしていない自由状態、つまり、無負荷状態にあって、その取付け軸部をエンドピース外に突出しないように保持できる。
【００１８】
本発明の時計用バンドの好ましい形態では、前記固定軸の先端側部位を、前記挟持部位で挟まれる前記固定軸の根元側部位より太くしたので、固定軸の先端側部位で、第１の位置に配置された取付け部材の折り返し部が固定軸から不用意に外れることを抑制できる点で好ましい。
【００１９】
本発明の時計用バンドの好ましい形態では、自由状態での前記折り返し部の形状をＵ字状又はＶ字状としたので、その曲げ形状が単純で、取付け部材の曲げ加工が容易である点で好ましい。
【発明の効果】
【００２０】
本発明によれば、かん足に対するエンドピースの着脱操作性を向上でき、かつ、保管場所に出し入れする際の取扱い性を向上できる腕時計、及び時計用バンドを提供できる。
【発明を実施するための最良の形態】
【００２１】
図１〜図５を参照して本発明の一実施形態を説明する。
【００２２】
図１中符号１は腕時計を示している。この腕時計１が備える時計外装組立２内には文字板２ａ及び図示しない時計ムーブメントなどが収容されている。時計外装組立２は、金属又は硬質合成樹脂等により環状に作られた胴３を備えている。この胴３の厚み方向一面（正面）にはカバーガラス４が液密に装着され、胴３の厚み方向他面（裏面）には裏蓋（図示しない）が取外し可能に装着されている。カバーガラス４を通して文字板２ａは視認可能である。
【００２３】
文字板２ａの１２時−６時方向に対応して胴３の外側にはかん股５が夫々設けられている。これらのかん股５は、胴３の外周から一体に突設された左右一対のかん足６間に形成されている。かん足６の夫々にはかん股５に開口する取付け穴７が設けられている。これらの取付け穴７はかん足６をその幅方向に貫通して設けることもできる。
【００２４】
図１中符号１１は時計外装組立２とともに腕時計１を構成するバンドを示している。これらのバンド１１は一端部に金属製のエンドピース１２を備えている。腕時計１を使用者の腕に保持するために、バンド１１の他端部には互いに係脱可能に接続される結合部材（図示しない）が設けられている。
【００２５】
夫々のエンドピース１２の裏面には、図２〜図４等に示すように四角穴形状の凹部１３が形成されている。凹部１３は、エンドピース１２の裏面に開放されているとともに、エンドピース１２の先端面１２ａにも開放されている。先端面１２ａを開放したことにより、後述する取付け部材１６の折り返し部１７を引起し操作する際のスペースをかん股５の奥面５ａまで広く確保できる点でこのましい。この凹部１３の左右両側に位置するエンドピース１２の側壁１２ｂの夫々には、この側壁１２ｂを幅方向に貫通する丸孔からなる通孔１４が設けられている。
【００２６】
凹部１３にはその底面から突出する金属製の固定軸１５が取付けられている。固定軸１５は、左右の通孔１４を結ぶ直線Ａ（図３及び図４に示す。）から例えば凹部１３の前面開放側にずれて突設されている。凹部１３底面からの固定軸１５の突出長さは凹部１３の深さより短く、又、固定軸１５は正面視円形である。この固定軸１５の先端側部位１５ａは、根元側部位１５ｂより太い。更に、先端側部位１５ａの表側面は半球状をなしている。これとともに、図２に示すように先端側部位１５ａの裏側は、好ましい例として前記表側面に行くほど径を次第に大きくするテーパ状をなして、根元側部位１５ｂにこれとの間に段差を作ることなく連続している。
【００２７】
凹部１３に取付け部材１６が収容されている。取付け部材１６は、断面が円形の金属製ばね棒で作られている。図５（Ａ）（Ｂ）に示すように取付け部材１６は、中央部に位置する折り返し部１７と、この両側の取付け軸部１８とを備えている。
【００２８】
折り返し部１７は相対向する挟持部位１７ａを有している。折り返し部１７はその挟持部位１７ａ間が広がる方向と狭まる方向とに弾性変形することができる。この折り返し部１７の形状は、自由状態では図４中実線で示すようにＵ字状を呈し、弾性変形した負荷状態では図３中実線で示すようにＶ字状を呈する。取付け軸部１８は、真直ぐな軸部であって、各挟持部位１７ａの端、つまり、折り返し部１７の両端から互いに反対に遠ざかる方向に折り曲げられている。
【００２９】
取付け部材１６は、その取付け軸部１８の夫々を通孔１４に、この通孔１４を貫通可能に挿入した状態で凹部１３内に収めてエンドピース１２に取付けられている。この取付け状態で取付け部材１６は、通孔１４を軸受として回転可能であり、その回転により図３中実線で示す第１の位置と図４中実線で示す第２の位置とに亘って移動できる。第１の位置に取付け部材１６が配置された状態では折り返し部１７が固定軸１５に嵌合される。この嵌合は取付け部材１６を第２の位置に移動させることにより解除され、それと同時に、折り返し部１７が自由状態に保持される。そして、こうした挙動に伴い取付け軸部１８の先端部が、エンドピース１２の幅方向に沿ってエンドピース１２の両側面に対して突没されるようになっている。
【００３０】
図５（Ａ）（Ｂ）に示すように折り返し部１７の先端部１７ｂは斜めに曲げられている。これにより、折り返し部１７が第１の位置に保持された状態では、図２に示すように先端部１７ｂが凹部１３の先端開放端に向けて、かつ、裏面開放に向けて斜めに起きるから、この先端部１７ｂをコインなどの身近にある物品を用いて取付け部材１６の引起し操作がし易いようになっている。
【００３１】
バンド１１を胴３に取付ける手順を説明する。
【００３２】
まず、エンドピース１２に取付けられている取付け部材１６を第２の位置に予め回転させて置く。この状態では、折り返し部１７の挟持部位１７ａが最も近付いており、かつ、それに伴い一対の取付け軸部１８の先端部は、夫々エンドピース１２の通孔１４内に配置されていて、エンドピース１２外に突出していない。
【００３３】
次に、図４に示すようにエンドピース１２を隣接するかん足６間、つまり、胴３のかん股５内に配置する。この配置状態で、かん足６の取付け穴７とエンドピース１２の通孔１４とを至近距離で対向した状態とする。この場合、エンドピース１２の先端面１２ａをかん股５の奥面５ａに押し当てることにより、文字板２ａの１２時−６時方向に位置決めできるようにするとよい。
【００３４】
最後に、手で取付け部材１６を第２の位置から起こした後に胴３側に倒すように回転させて第１の位置に移動させる。これにより、取付け部材１６の折り返し部１７が固定軸１５に嵌合される。それに伴う折り返し部１７の弾性変形に伴ってその一対の挟持部位１７ａが、互いに離れる方向に固定軸１５の先端側部位１５ａで押し広げられるとともに、この先端側部位１５ａを通過して根元側部位１５ｂを弾性的に挟持する。この状態では、図３中実線で示すように折り返し部１７がＶ字状に開いた状態となって第２の位置に保持されるとともに、前記押し広げに伴って取付け軸部１８の夫々が同時に通孔１４より突出してかん足６の取付け穴７に差し込まれる。
【００３５】
したがって、バンド１１が胴３に取付けられる。この状態を図１及び図２中実線、及び図３中実線で示す。このバンド取付け状態では、図２に示すように固定軸１５及び取付け部材１６は、いずれもエンドピース１２の裏面から突出することなく凹部１３に収められているので、腕時計１を装着した状態で、使用者の手首に取付け部材１６が接触する恐れがなく、仮に手首に触れても軽微であって異物感を与えることはないので、使用感が良い。又、第１の位置に配置された取付け部材１６の折り返し部１７が、固定軸１５を弾性的に挟んでいることに加えて、固定軸１５の先端側部位１５ａに引っ掛かっているので、腕から外された腕時計１を置く際に、衝撃が加わることがあっても、エンドピース１２の裏面に沿って倒されて第２の位置に配置されている取付け部材１６が、不用意に固定軸１５から外れることを、より確実に防止できる。
【００３６】
バンド１１を胴３から外す手順を説明する。
【００３７】
まず、図３中実線で示す状態において、コイン等の身近な物品を、図２中矢印で示す方向に挿入して、第１の位置に配置されている取付け部材１６の折り返し部１７に引掛け、この折り返し部１７を引起すように回転させるとともに、取付け部材１６を第２の位置に配置する。この場合、最初に、折り返し部１７が多少弾性変形して固定軸１５の先端側部位１５ａから外れる。その時点で、折り返し部１７はその弾性力により自由状態となるように復元する。
【００３８】
それにより、折り返し部１７の挟持部位１７ａが互いに近付いて折り返し部１７がＵ字状となるので、この挙動によって夫々の取付け軸部１８の先端部が取付け穴７から同時に抜けるとともに、エンドピース１２から突出しないように通孔１４内に没入する。この状態を図４中実線で示す。
【００３９】
最後に、かん股５からバンド１１のエンドピース１２を引き出すことで、バンド１１を胴３から外すことができる。
【００４０】
以上のようにかん股５にエンドピース１２を配置した状態で、エンドピース１２に回転可能に取付けられている取付け部材１６を、専用の工具を要することなく身近なコインなどを用いて回転させ第２の位置から第１の位置に配置することで、胴３にバンド１１を取付けることができる。この逆に、かん股５にエンドピース１２が配置された状態で、コインなどを用いて取付け部材１６を回転させ第１の位置から第２の位置に配置することで、胴３からバンド１１を外すことができる。
【００４１】
したがって、前記構成の腕時計１は、その胴３へのバンド１１の組付け作業性が良いとともに、使用者においても胴３に対してバンド１１のエンドピース１２を容易に着脱できる。このため、固定軸１５及び取付け部材１６が設けられたエンドピース１２を備えた意匠が異なるバンド１１を使用者が１以上用意して置く場合には、既述の手順により容易に所望のバンド１１に適宜交換して、腕時計１に意匠の変化を与えて使用することが可能となる。
【００４２】
又、胴３から外されたバンド１１においては、取付け部材１６が自由状態にあって、その左右の取付け軸部１８が、いずれもエンドピース１２の幅方向に沿って外側に突出しない状態に保持される。これにより、バンド１１を単体で保管する際に、取付け部材１６の取付け軸部１８が保管場所に入れられている他の物に引っ掛かる等邪魔になることがないから、バンド１１を保管場所に出し入れする際の取扱い性を向上できる。
【００４３】
しかも、胴３から外されたバンド１１の取付け部材１６が自由状態にあるので、この取付け部材１６は弾性変形をしていない無負荷状態に保持される。このため、胴３から外されたバンド１１の長期にわたる保管中に取付け部材１６のばね性がへたる恐れがない。
【図面の簡単な説明】
【００４４】
【図１】本発明の一実施形態に係る腕時計を示す正面図。
【図２】図１中Ｆ２−Ｆ２線に沿って示す断面図。
【図３】図１の腕時計の胴に対しバンドが連結された状態を示すバンド連結部の裏面図。
【図４】図１の腕時計の胴に対するバンドの連結が解除された状態を示すバンド連結部の裏面図。
【図５】（Ａ）は図１の腕時計のバンドが備える取付け部材を示す平面図。（Ｂ）は図５（Ａ）中Ｆ５−Ｆ５線に沿って示す断面図。
【符号の説明】
【００４５】
１…腕時計
３…胴
５…かん股
６…かん足
７…取付け穴
１１…バンド
１２…エンドピース
１２ｂ…側壁
１３…凹部
１４…通孔
１５…固定軸
１５ａ…固定軸の先端側部位
１５ｂ…固定軸の根元側部位
１７…折り返し部
１７ａ…挟持部位
１８…取付け軸部
【図１】
2007212352.tif 000003
【図２】
2007212352.tif 000004
【図３】
2007212352.tif 000005
【図４】
2007212352.tif 000006
【図５】
2007212352.tif 000007